(57)【要約】      （修正有）【課題】  折り畳み構造の携帯電話等の開閉方向の自由度を広げ、なお開閉機構のヒンジ部を形状が簡易な構造部材を用いて、応用範囲を広めた折り畳み式携帯情報端末を提供する。【解決手段】  表示部を上面に配置したことにより折り畳んだ状態で表示内容の確認が可能で、操作部側面に配置された操作キーにより所定操作が可能になる。表示部ユニットと、操作部ユニットとを備え、操作部と表示部を同一方向に向いた状態で一端部角にて連結し、回転時において電子メールやインターネット画面また画像等の表示を横方向で内容を見ることができ、更に操作部の操作が可能となる。従来の縦方向の表示も兼ね備えることも可能で、画像撮影時も横画面、縦画面と必要に応じて可能である、更に電話機能においては従来の折り畳み式と同じく開閉する事が可能で、回転開閉機構を比較的簡易形状部材で構成することが可能である。また、凹面鏡を設置することで携帯鏡の役割も兼ねる。【選択図】  図１
2005051726.tif 000002
【特許請求の範囲】
【請求項１】
操作部を有する第一操作部ユニットと表示部を有する第二表示部ユニットを操作部面と表示部面が同一方向を向いた状態で、それぞれ一端角部でお互いに結合する接続部材を有する折り畳み式携帯情報端末で、前記接続部材により第二表示部ユニットが第一操作部ユニット一端部を軸として対面開閉し、第一操作部ユニット一端角部に垂直方向に取り付けられ、第二表示部の一端部角を中心として平面回転構成する２軸ヒンジ機能であることを特徴とする折り畳み式携帯情報端末。
【請求項２】
前記回転機構の内部は中空の円柱状でエル字型のように曲がり角度は直角で、両端接合部には溝が掘られている構造であり、係り止め構造、抑止部機能の加工がなされている。両端は第一操作部の垂直方向に接続され、第二表示部ユニットの一端部角側面に設置されていることを特徴とする請求項１に記載の折り畳み式携帯情報端末。
【請求項３】
前記第二表示部ユニットの表示部側と反対面に、補助表示部を設けたことを特徴とする請求項１又は２に記載の折り畳み式携帯情報端末。
【請求項４】
前記第二表示部ユニットの表示部側と反対面に、凹面鏡を設けたことを特徴とする請求項１〜３のいずれか１項に記載の折り畳み式携帯情報端末。
【発明の詳細な説明】
【技術分野】
【０００１】  本発明は、操作部を有する筐体と表示部を有する筐体で折り畳み構造タイプの携帯情報端末で、開閉する機構構造の開閉型携帯情報端末に関するものである。
【背景技術】
【０００２】  携帯電話機は近年において普及が拡大し、利用形態も通常の音声通話以外に電子メール、インターネットへの接続また画像撮影機能も追加され利用形態も多岐にわたって変化しつつある。携帯性をより便利にするため小型化、軽量化が図られているが表示部は大画面の表示装置が使われている、そのため２つの筐体を折り畳む構造のものが大多数を占めている。【０００３】  上記課題に関連した先行提案について記述する。（特許文献１参照。）の折り畳みの形状にて表示部を表に設置し回転開閉した携帯情報端末。（特許文献２参照。）の開閉方向は長手方向及び、短手方向にも開くことができるように、折畳式携帯電話装置の開閉の自由度を高める。
【特許文献１】特許出願２０００−３５３０３０号公報
【特許文献２】特許出願２００１−３００７７４号公報
【発明の開示】
【発明が解決しようとする課題】
【０００４】  従来機種のような大画面表示部を搭載した開閉型携帯電話は、２つの筐体を折り畳んだ状態から開いて表示部を見る必要がある。例えば、電子メールの着信があった時等は操作部と表示部を開いた状態で表示部に現れた電子メールを見なければならない不便さがある。最近は、表示部を表面に配置した機種も出始めているが表示部は縦方向となる。【０００５】  従来の折り畳み携帯電話では画面表示部が縦方向の表示になっているものが大多数を占めている。そのため横一行の文字数も限られ読みにくい難点がある、また画像表示においては横長の画像では小さく変換して表示しなければならない。また２軸ヒンジを用いて横方向にも対応したものも普及し始めているが、回転開閉機構が複雑になっている。
【課題を解決するための手段】
【０００６】  本発明は、従来の携帯電話機における上記述した各問題点に対処するため、操作部と表示部を閉じた状態で表示部を見られることを可能にして、また展開時において横方向に表示部を配置し、操作面の操作も可能にする、回転開閉機構の構造を簡易構造を用い、そして従来の開閉方式にも対処することとし、使い勝手をより向上させた折り畳み式の携帯情報端末を提供する。
【発明の効果】
【０００７】  本発明により、直角２軸方向に開閉回転可能な簡易な構造ヒンジ部を備えることにより、操作部と表示部を閉じた状態で表示部が表面に配置されたことにより開閉することなく操作部横の操作キーによりメールを確認等の簡易操作が可能である。そして、回転開閉により操作部が現れしかも表示部が横方向になり使い勝手が向上する、操作部を立て位置とし、手に持てるため写真撮影、動画撮影も対応可能である。音声通話に至っては操作部、表示部と縦方向になり適度に傾斜がつくため通話姿勢も無理がなくなる。それに閉じた状態では表示部を常に確認できるためテレビ映像や様々な情報表示に応用可能で、より自由度の広がった折り畳み式携帯端末装置を提供可能である。
【発明を実施するための最良の形態】
【０００８】  以下、実施例を挙げ、本発明の実施の形態を図面を参照して詳細に説明する。本実施例の折り畳み式携帯端末は電話通話及びその機能以外に、画像撮影、動画撮影、インターネット、電子メール、動画を用いたテレビ電話機能、テレビ放送の受信、電子手帳等の携帯情報端末の機能を持っているものとする。尚、アンテナの配置に関しては省略するものとする。【０００９】  図１は、本発明の携帯情報端末としての携帯電話機の一実施例を示している。尚ここで説明する図面は正面から見て左側に開閉ヒンジ装置を置くものとする、実施形態に合わせ右に設置することも可能である。
【実施例１】
【００１０】  請求項１に記載の本発明では、図１を参照とし平面開閉して直角に展開した正面図であり、長手方向より一端部角を中心軸として、反時計回り方向へ扇状に展開した図である。閉じた状態にて電子メール等を拝見でき、図１の４の操作部横のキーにより操作可能である、閉じた状態を保持する係り止め機構を設け開いた状態からバネ等の力により第一係止め直角位置で半固定とし、図２の正面図で示す第二係止め垂直位置で回転範囲を抑止する。また、図４により従来の折り畳み式携帯電話と同じく開閉を可能とする。【００１１】  図１において、画面表示は横方向を示し操作部の操作により電子メールの書き込み、送信操作インターネット等の操作を可能とし、従来では縦画面が主でメールでは横に書き込む文字数が限られ読みにくい難点がある、また画像表示は画像サイズを小さくしなければならない難点がある。【００１２】  本実施形態において、操作部を縦に持ちキー操作をしながら表示画面は横長となり従来にない使い勝手を向上させている、画像表示においてはスクロール操作で画像位置を移動させることなく確認できる。尚、図１の６（点線で記載）に示す表示部の裏面に画像撮影素子を配置し画像撮影、動画撮影を行うことも可能である【００１３】  図２においては、第二係止めにより垂直位置で停止し回転範囲を抑止するものとし、従来の縦画面による表示も可能である、また写真撮影時に縦の構図を可能にするものである。しかし、表示機能を簡素化する場合は図２の垂直位置を廃止し図１の直角回転範囲で抑止するものとする。また、図１並びに図２の示すが従来普及している携帯電話と同等のキー配列を用いることが可能である。【００１４】  請求項２に記載の本発明では、図３記号（ロ）は本体側面図で下部は操作部、上部は表示部でヒンジの断面構造を示したものである。ヒンジの形状はエル字型に曲がり下部、上部に接合されるために溝が掘られている、第一操作時部及び第二表示部への取り付け強度を増すためヒンジの外径等は出来るだけ大きいものがよい。【００１５】  図３記号（イ）は斜視図で外観を表したもので、基本的な構造を示したものであり両端部の係り止め等の構造は省略した、両端の長さは部材の材質や取り付け強度を考慮した長さが示される。上記接合部材は簡易構造とする特徴を持っている、またヒンジ内部は空洞であるため配線ケーブルを通すことが可能でコイル状のケーブルがよいだろう。【００１６】  上記においては一実施例でありあくまで基本構造を示すものであるため、これ以外に様々な機構やバネ装置、係り止め構造、抑止部材が追加及び加工されるものである。【００１７】  図４は長手方向へ開閉した斜視図、電話通話において適度な傾斜位置で係り止めすることとし、図４の９スピーカ部と図４の５マイク部が通話において適切な位置関係を保つため、展開範囲を抑止するものとし、現在最も使われている折り畳み式携帯電話機に準ずる。【００１８】  請求項３に記載の本発明では、実施例図４に示した表示部ユニットの裏面部に小型補助表示装置、番号７を設置するこことし、電話通話において番号表示及び通話における各種の情報表示を行うものである、開閉位置検地装置により、電話通話時は表面の表示を切り替え裏面の表示部を使用するものとする。また、不必要な開閉位置では機能制限又は警告表示を表示するものとする【００１９】  上記小型表示部の同一面状に映像撮影素子、番号６を配置しているため自分自身の撮影等の画像表示にも使用可能である。また利用形態によっては番号６の画像撮影素子によりテレビ電話などへの利用が可能である、通話に際してはマイク付きイヤホンが便利である。【００２０】  請求項４に記載の本発明では、実施例図４に示す表示部ユニットの裏面部は小型表示装置を設けてありその上部に空きスペースが生まれる図４の８、前記空き領域に凹面鏡を設置する事も可能であり携帯鏡の役割おも持たせることが出来る、特に女性においては口元、目元等の確認をする場合とても重宝である。尚、平面鏡より拡大効果のある凹面鏡を用いることとする。【００２１】  上記で述べた凹面鏡の構造について、搭載可能な大きさが限定されるため外形寸法に合う倍率を吟味するこことし、鏡の反射率に関しても吟味することとする。また、表面等に写真シールなど貼られる場合もあるため材質、強度を考慮しなければならない。【００２２】  図５は閉じた状態で横手方向にて使用した斜視図である、上記にて述べたが電子メール、画像等の確認が出来操作部横のキー番号４で表示の切り替え等が可能である。また表示部上面に操作キーを配置することも可能だが、ワイシャツのポケットやズボンのポケットに入れている場合誤操作を防止するための構造が必要である、そのため第一操作部横はキーの配置面にくぼみを持たせた構造としている。【００２３】  実施例図５に閉じた状態で様々な応用例を記載した。テレビ放送視聴にも対応可能で番号１３はスピーカーを示す、番号１１にメディアカード等を挿入可能なスロットを設けることにより番号１０のカードにはメモリー機能、ゲームソフト、映像情報など様々なメディアが利用可能である。【００２４】  上記で述べた実施例の操作部で操作キーを一部変更した構造を図６に示した。表示部の長手方向の長さより操作部の長手方向の長さを長く取り操作キーを露出させたものであるこの状態で筐体を横方向にし、キー操作をすることで横長画面として利用できる。【００２５】  図６で示す操作キーはおおむね着信メールの確認、インターネットでの情報表示など確認作業の操作が可能で、それに該当する所定の機能が割り当てられるものとする。【００２６】  以上の実施例により、表示部を表面に配置しているため表示内容の確認動作は便利であり横手方向の活用範囲が広まるものである。ここで述べた実施例は基本的なものでこれ以上に他の機能を追加可能である。
【図面の簡単な説明】
【図１】本発明の実施形態の直角に開いた状態を示す正面平面図である。
【図２】図１の実施形態で開いて垂直に立てた状態で正面平面図である。
【図３】図１の実施形態で連結部材を示す図である。
【図４】図１の実施形態で縦方向へ開いた状態を示す斜視図である。
【図５】図１の実施形態で閉じた状態を示す斜視図である。
【図６】実施形態を一部変更し閉じた状態を示す斜視図である。
【符号の説明】
１  ヒンジ部
２  表示部
３  操作部キー
４  側面操作キー
５  マイクロホン
６  映像撮影素子
７  小型補助表示部
８  凹面鏡
９  通話用スピーカー
１０  メディアカード
１１  カード用スロットル
１２  着信音及び音声スピーカー
イ  連結部材視斜図
ロ  連結部材断面図
【図１】
2005051726.tif 000003
【図２】
2005051726.tif 000004
【図３】
2005051726.tif 000005
【図４】
2005051726.tif 000006
【図５】
2005051726.tif 000007
【図６】
2005051726.tif 000008